(57)【要約】【課題】異常感知器が異常を感知したときに、同一システム内の異常感知器に短時間で異常通知を行うことができる異常感知システムを提供する。【解決手段】異常を感知して警報を発生する複数の異常感知器３−１〜３−ｎと、複数の異常感知器と１対１対応で接続され、異常感知器が異常を感知したときに異常通知信号を無線送信する複数の無線機４−１〜４−ｎとを有し、複数の無線機の各々は、複数の無線機に共通する識別情報である共通識別符号を記憶する共通識別符号記憶手段２３−１〜２３−ｎと、自無線機に接続された異常感知器が異常を感知したときに、共通識別符号を付加した異常通知信号を、他無線機に無線送信し、他無線機から異常通知信号を受信したときに、異常通知信号に、共通識別符号記憶手段に記憶されている共通識別符号が付加されている場合は、自無線機に接続された異常感知器に警報を発生させる制御手段２０−１〜２０−ｎとを備える。【選択図】図２
2006331096.tif 000002
【特許請求の範囲】
【請求項１】
異常を感知して警報を発生する複数の異常感知器と、
前記複数の異常感知器と１対１対応で接続され、異常感知器が異常を感知したときに異常通知信号を無線送信する複数の無線機と、
を有し、
前記複数の無線機の各々は、
前記複数の無線機に共通する識別情報である共通識別符号を記憶する共通識別符号記憶手段と、
前記複数の無線機の内の自己の無線機に接続された異常感知器が異常を感知したときに、前記共通識別符号を付加した前記異常通知信号を、自己の無線機以外の他の無線機に無線送信し、自己の無線機以外の他の無線機から前記異常通知信号を受信したときに、前記異常通知信号に、前記共通識別符号記憶手段に記憶されている前記共通識別符号が付加されている場合は、自己の無線機に接続された異常感知器に警報を発生させる制御手段と、
を備えることを特徴とする異常感知システム。
【請求項２】
異常を感知して警報を発生する複数の異常感知器と、
前記複数の異常感知器と１対１対応で接続され、異常感知器が異常を感知したときに異常通知信号を無線送信する複数の無線子機と、
前記無線子機と無線通信する無線親機と、
を有し、
前記複数の無線子機の各々は、
前記無線親機及び前記複数の無線子機に共通する識別情報である共通識別符号を記憶する第１共通識別符号記憶手段と、
前記複数の無線子機ごとに固有の識別情報である自局識別符号を記憶する自局識別符号記憶手段と、
前記複数の無線子機の内の自己の無線子機に接続された異常感知器が異常を感知したときに、前記共通識別符号び前記自局識別符号を付加した前記異常通知信号を、自己の無線子機以外の他の無線子機及び無線親機に対して無線送信し、自己の無線子機以外の他の無線子機から前記異常通知信号を受信したときに、前記異常通知信号に、前記第１共通識別符号記憶手段に記憶されている前記共通識別符号が付加されている場合は、自己の無線子機に接続された異常感知器に警報を発生させる第１制御手段と、
を備え、
前記無線親機は、
前記共通識別符号を記憶する第２共通識別符号記憶手段と、
前記複数の無線子機すべての前記自局識別符号を記憶する子機識別符号記憶手段と、
前記複数の無線子機から前記異常通知信号を受信したときに、前記異常通知信号に、前記第２共通識別符号記憶手段に記憶されている前記共通識別符号が付加されていて且つ前記異常通知信号に、前記子機識別符号記憶手段に記憶されている前記自局識別符号が付加されている場合は、前記異常通知信号に付加されている前記自局識別符号に基づいて前記異常通知信号を無線送信した無線子機を特定する第２制御手段と、
を備えることを特徴とする異常感知システム。
【請求項３】
前記無線親機に接続され、前記複数の異常感知器を集中監視する集中監視装置をさらに備え、
前記無線親機の前記第２制御手段は、
前記異常通知信号を無線送信した無線子機を特定したときに、異常感知元の異常感知器が前記複数の異常感知器の内のいずれであるかを示す情報を、前記集中監視装置に表示させることを特徴とする請求項２記載の異常感知システム。
【請求項４】
前記複数の無線子機の各々の前記第１制御手段は、
自己の無線子機以外の他の無線子機から前記異常通知信号を正常に受信した場合、前記異常通知信号に対する応答を示す応答信号に、前記自局識別符号を付加して、前記無線親機に無線送信し、
前記無線親機の前記第２制御手段は、
前記応答信号に、前記子機識別符号記憶手段に記憶されている前記自局識別符号が付加されている場合は、前記応答信号に付加されている前記自局識別符号により特定される無線子機が、前記異常通知信号を正常に受信したと判定し、前記異常通知信号を正常に受信したと判定されていない無線子機に対して、前記異常通知信号を無線送信することを特徴とする請求項２または請求項３記載の異常感知システム。
【発明の詳細な説明】
【技術分野】
【０００１】
本発明は、火災感知器や人感センサ等の異常感知器が異常を感知したときに、異常感知器に接続された無線機を介して、他の異常感知器に対して一斉に異常通知を行う異常感知システムに関する。
【背景技術】
【０００２】
火災感知器や人感センサなどの異常感知器は、異常を感知した場合に警報音を鳴動するか、警報表示することにより、異常感知器の周囲に異常を通知する。
【０００３】
従来、これらの異常感知器を宅内に複数台設置し、集中監視装置により複数台の異常感知器を集中監視する異常感知システムが知られている。この異常感知システムは、複数の異常感知器が集中監視装置に接続され、異常感知器が異常を感知した場合に該異常感知器の周囲に異常を通知するとともに集中監視装置に異常信号を送信することにより集中監視装置に異常を通知する。
【０００４】
異常感知システムは、異常感知器と集中監視装置との間を有線で接続する有線接続タイプ及び無線で接続する無線接続タイプがある。有線接続タイプは、既設の住宅（戸建、マンションなど）に設置する場合、住宅の壁等に穴をあけて配線する必要があり、配線工事に手間がかかるとともに工事費が高くなってしまう。無線接続タイプは、近接した住宅等に設置されている無線機との混信を防止する必要がある。
【０００５】
従来の無線接続タイプの異常感知システムとして、無線子機に接続された異常感知器と、無線子機との間で無線通信可能な無線親機とを備えた異常感知システムが知られている（例えば、特許文献１）。
【０００６】
この異常感知システムは、異常感知器が異常を感知したときに、該異常感知器に接続された無線子機を介して、無線親機に異常を通知して、無線親機から他の無線子機に異常を通知する。異常通知された無線子機は警報を発生する。
【特許文献１】特開２００５−１８７３５号公報
【発明の開示】
【発明が解決しようとする課題】
【０００７】
しかしながら、従来の異常感知システムは、異常感知器が異常を感知したときに無線子機を介して無線親機に異常を通知して、無線親機は他の無線子機に対して個別に異常を通知するものである。例えば、無線子機が９台あり、この内の１台から異常通知があった場合、無線親機は他の８台に対して１回ずつ合計８回異常通知する必要がある。
【０００８】
また、無線機器は、配線をなくして工事性を向上させるために、電池駆動とすることが多く、消費電力を低減させるために、電波の受信動作を間欠的に行っている。このため、無線親機から無線子機を呼び出したり、無線子機から無線親機を呼び出したりする場合、受信動作の受信間隔時間よりも長い時間電波を送信し続ける必要がある。
【０００９】
従って、従来の異常感知システムにおいて、例えば、無線親機が８台の無線子機に対して異常通知を行う場合、無線子機の受信間隔時間を１８秒とすると、８台の無線子機すべてに異常通知を行うためには、最低１４４秒（＝１８秒×８台）かかってしまう。即ち、従来の異常感知システムは、最初に異常を感知してからすべての異常感知器に通知されるまでに長時間がかかってしまう。
【００１０】
本発明の課題は、異常感知器が異常を感知したときに、同一システム内の異常感知器に短時間で異常通知を行うことができる異常感知システムを提供することにある。
【課題を解決するための手段】
【００１１】
本発明は、上記課題を解決するために以下の手段を採用した。請求項１の発明は、異常を感知して警報を発生する複数の異常感知器と、前記複数の異常感知器と１対１対応で接続され、異常感知器が異常を感知したときに異常通知信号を無線送信する複数の無線機とを有し、前記複数の無線機の各々は、前記複数の無線機に共通する識別情報である共通識別符号を記憶する共通識別符号記憶手段と、前記複数の無線機の内の自己の無線機に接続された異常感知器が異常を感知したときに、前記共通識別符号を付加した前記異常通知信号を、自己の無線機以外の他の無線機に無線送信し、自己の無線機以外の他の無線機から前記異常通知信号を受信したときに、前記異常通知信号に、前記共通識別符号記憶手段に記憶されている前記共通識別符号が付加されている場合は、自己の無線機に接続された異常感知器に警報を発生させる制御手段とを備えることを特徴とする。
【発明の効果】
【００１２】
請求項１の発明によれば、複数の異常感知器と１対１対応で接続された複数の無線機は、該複数の無線機に共通する共通識別符号を記憶し、複数の異常感知器の内のいずれかが異常を感知すると、該異常感知器に接続された無線機は、他の無線機に共通識別符号が付加された異常通知信号を無線送信し、他の無線機は共通識別符号が付加された異常通知信号を受信すると、異常通知信号を受信した無線機に接続されている異常感知器に警報を発生させるので、複数の異常感知器の内のいずれかが異常を感知した場合に、他の異常感知器に一斉に異常通知を行い、同一システム内のすべての異常感知器に短時間で異常通知を行うことができる。
【発明を実施するための最良の形態】
【００１３】
以下、本発明の実施例に係る異常感知システムを図面を参照しながら詳細に説明する。なお、以下の実施例では異常感知器の一例として火災感知器を挙げて説明する。本発明の異常感知器は、人感センサ、ガス漏れセンサ、漏電センサ等であってもよい。
【実施例１】
【００１４】
図１は本発明の実施例１に係る異常感知システムのシステム構成を示すブロック図である。図１に示すように、実施例１に係る異常感知システムは、集中監視装置１、無線親機２、火災感知器３−１〜３−ｎ、無線子機４−１〜４−ｎで構成されている。集中監視装置１は無線親機２と接続され、火災感知器３−１、３−２、・・・、３−ｎはそれぞれ無線子機４−１、４−２、・・・、４−ｎと接続されている。無線子機４−１〜４−ｎは無線親機２との間で無線通信が可能であるとともに無線子機相互間でも無線通信が可能である。
【００１５】
図２は集中監視装置１、無線親機２、火災感知器３−１〜３−ｎ、無線子機４−１〜４−ｎの構成を示すブロック図である。
【００１６】
火災感知器３−１は、制御回路１５−１、火災感知回路１６−１、圧電ブザー１７−１、Ｉ／Ｆ回路１８−１を備えている。火災感知回路１６−１は、煙や熱等により火災の発生を感知して、感知信号を制御回路１５−１に出力する。制御回路１５−１は、火災感知回路１６−１からの感知信号が入力されると圧電ブザー１７−１を鳴動させて火災感知器３−１の周囲に火災の発生を知らせる（警報を発生する）とともにＩ／Ｆ回路１８−１を介して、感知信号を無線子機４−１に出力する。また、制御回路１５−１は、無線子機４−１からＩ／Ｆ回路１８−１を介してブザー鳴動指示信号（後述）が入力されると圧電ブザー１７を鳴動させる。また、火災感知器３−１は、圧電ブザー１７−１の替わりに、音声を発生する音源やＬＥＤ回路や液晶パネル等を備え、これらを用いて火災の発生を知らせるものとしてもよい。なお、火災感知器３−２〜３−ｎの構成は火災感知器３−１の構成と同様である。
【００１７】
無線子機４−１は、Ｉ／Ｆ回路１９−１、制御回路２０−１、無線回路２１−１、自局識別符号記憶回路２２−１、相手局識別符号記憶回路２３−１を備えている。Ｉ／Ｆ回路１９−１は、火災感知器３−１のＩ／Ｆ回路１８−１と接続され、Ｉ／Ｆ回路１８−１との間で信号の入出力を行う回路である。無線回路２１−１は、無線親機２の無線回路１１及び他の無線子機４−２〜４−ｎの無線回路２１−２〜２１−ｎとの間で無線信号の送受信を行う回路である。自局識別符号記憶回路２２−１は、自局（無線子機４−１）を特定するための自局識別符号を記憶する。この自局識別符号は、無線親機２及び無線子機４−１〜４−ｎの各無線機器ごとに割り当てられる機器固有の識別情報であり、例えば１２桁の数字からなる。相手局識別符号記憶回路２３−１は、相手局（無線親機２）を特定するための相手局識別符号を記憶する。
【００１８】
また、相手局識別符号記憶回路２３−１は、本発明の共通識別符号記憶手段であり、本実施例では無線親機２の識別符号を相手局識別符号として記憶するものとしたが、相手局識別符号は無線子機４−１〜４−ｎに共通する識別符号であればよい。即ち、同一システム内の無線子機（無線子機４−１〜４−ｎ）の相手局識別符号記憶回路（相手局識別符号記憶回路２３−１〜２３−ｎ）には、同一の識別符号（共通識別符号）が記憶されている。
【００１９】
制御回路２０−１は、火災感知器３−１からＩ／Ｆ回路１９−１を介して感知信号が入力されると、火災通知電文を、無線回路２１−１を介して無線親機２及び他の無線子機４−２〜４−ｎに対して無線送信する。火災通知電文は、図３に示すように、火災感知器３−１からの感知信号により示される感知内容（以下、火災感知データ２６）に、相手局識別符号記憶回路２３−１に記憶されている相手局識別符号２４及び自局識別符号記憶回路２２−１に記憶されている自局識別符号２５が付加された電文である。
【００２０】
また、制御回路２０−１は、他の無線子機４−２〜４−ｎから無線回路２１−１を介して火災通知電文を受信すると、該火災通知電文の相手局識別符号２４と相手局識別符号記憶回路２３−１に記憶されている相手局識別符号とを照合する。電文の相手局識別符号２４と相手局識別符号記憶回路２３−１に記憶されている相手局識別符号とが一致した場合は、Ｉ／Ｆ回路１９−１を介して火災感知器３−１にブザー鳴動指示信号を出力する。なお、無線子機４−２〜４−ｎの構成は無線子機４−１と同様である。
【００２１】
無線親機２は、Ｉ／Ｆ回路９、制御回路１０、無線回路１１、自局識別符号記憶回路１２、相手局識別符号記憶回路１３−１〜１３−ｎを備えている。Ｉ／Ｆ回路９は、集中監視装置１のＩ／Ｆ回路８と接続され、Ｉ／Ｆ回路８との間で信号の入出力を行う回路である。無線回路１１は、無線子機４−１〜４−ｎの無線回路２１−１〜２１−ｎとの間で無線信号の送受信を行う回路である。自局識別符号記憶回路１２は、自局（無線親機２）を特定するための識別符号を記憶する。相手局識別符号記憶回路１３−１〜１３−ｎは、相手局（無線子機４−１〜４−ｎ）を特定するための識別符号を記憶する。即ち、無線親機２には、無線親機２との間で無線通信を行うすべての無線子機の識別符号が記憶されている。
【００２２】
制御回路１０は、無線子機４−１〜４−ｎから無線回路１１を介して火災通知電文を受信すると、該火災通知電文の相手局識別符号２４と自局識別符号記憶回路１２に記憶されている自局識別符号とを照合する。電文の相手局識別符号２４と自局識別符号記憶回路１２に記憶されている自局識別符号とが一致した場合は、電文の自局識別符号２５と相手局識別符号記憶回路１３−１〜１３−ｎに記憶されている相手局識別符号とを照合する。電文の自局識別符号２５と相手局識別符号記憶回路１３−１〜１３−ｎのいずれかに記憶されている相手局識別符号とが一致した場合は、電文の自局識別符号２５に基づいて電文を無線送信した無線子機を把握し、火災を感知した火災感知器（感知元）を特定する。また、制御回路１０は、火災感知データ２６及び感知元を示す情報を、Ｉ／Ｆ回路９を介して集中監視装置１に出力する。
【００２３】
集中監視装置１は、制御回路５、ＬＥＤ回路７、Ｉ／Ｆ回路８を備えている。集中監視装置１は、無線親機２からの火災感知データ２６及び感知元を示す情報が入力されると、制御回路５によりＬＥＤ回路７を制御して、感知元を表示する。また、集中監視装置１は、ＬＥＤ回路７の替わりに、音声を発生する音源や圧電ブザーや液晶パネルやバイブレータ等を備え、これらを用いて火災の感知元を知らせるものとしてもよい。
【００２４】
また、本発明の実施例１に係る異常感知システムは、図４及び図５に示すように、集中監視装置１の替わりに火災感知器３を無線親機２に接続してもよい。この火災感知器３の構成は、火災感知器３−１〜３−ｎの構成と同様である。
【００２５】
また、本発明の実施例１に係る異常感知システムは、集中監視装置１により火災感知器３−１〜３−ｎを集中監視するために、同一システム内のすべての無線子機（無線子機４−１〜４−ｎ）の識別符号を記憶した無線親機２を設置するものとしたが、火災感知器３−１〜３−ｎを集中監視する必要がない場合は、無線親機２を設置しなくてもよい。
【００２６】
次に、本発明の実施例１に係る異常感知システムの動作を図６を用いて詳細に説明する。ここでは、図２に示した異常感知システムにおいて、火災感知器３−１が火災を感知した場合を例に説明する。まず、火災感知器３−１は、火災を感知すると（ステップＳ１）、圧電ブザー１７−１を鳴動させる（ステップＳ２）とともに無線子機４−１に感知信号を出力して火災発生を通知する（ステップＳ３）。無線子機４−１は、火災通知電文を無線親機２及び無線子機４−２〜４−ｎに対して、一斉に無線送信して火災発生を通知する（ステップＳ４）。
【００２７】
図８は無線親機２が火災通知電文を受信したときの動作を示すフローチャートである。図８に示すように、無線親機２は、火災通知電文を受信する（ステップＳ４−１）と、制御回路１０は、受信した電文の相手局識別符号２４と自局識別符号記憶回路１２に記憶されている無線親機２の識別符号とを照合する（ステップＳ４−２）。電文の相手局識別符号２４と無線親機２の識別符号とが一致した場合、受信した電文の自局識別符号２５と相手局識別符号記憶回路１３−１〜１３−ｎに記憶されている無線子機４−１〜４−ｎの識別符号とを照合する（ステップＳ４−３）。電文の自局識別符号２５と相手局識別符号記憶回路１３−１〜１３−ｎのいずれかに記憶されている識別符号とが一致した場合、電文の自局識別符号２５から火災を感知した火災感知器（感知元）を特定する。制御回路１０は、電文の火災感知データ２６及び感知元を示す情報を集中監視装置１に出力して火災の感知元を通知する（ステップＳ４−４）。ステップＳ４−２において、電文の相手局識別符号２４と無線親機２の識別符号とが一致しない場合及びステップＳ４−３において、電文の自局識別符号２５が相手局識別符号記憶回路１３−１〜１３−ｎのいずれに記憶されている識別符号とも一致しない場合は、電文の受信を停止する（ステップＳ４−５）。
【００２８】
図９は無線子機４−２が火災通知電文を受信したときの動作を示すフローチャートである。図９に示すように、無線子機４−２は、火災通知電文を受信する（ステップＳ４−６）と、制御回路２０−２は、受信した電文の相手局識別符号２４と自局識別符号記憶回路２２−２に記憶されている無線子機４−２の自局識別符号とを照合する（ステップＳ４−７）。電文の相手局識別符号２４と自局識別符号記憶回路２２−２に記憶されている識別符号とが一致しなかった場合、電文の相手局識別符号２４と相手局識別符号記憶回路２３−２に記憶されている識別符号とを照合する（ステップＳ４−９）。電文の相手局識別符号２４と相手局識別符号記憶回路２３−２に記憶されている識別符号とが一致した場合及びステップＳ４−７において電文の相手局識別符号２４と自局識別符号記憶回路２２−２に記憶されている識別符号とが一致した場合は、火災感知器３−２にブザー鳴動指示信号を出力する（ステップＳ４−８）。ステップＳ４−９において、電文の相手局識別符号２４と相手局識別符号記憶回路２３−２に記憶されている識別符号とが一致しなかった場合、電文の受信を停止する（ステップＳ４−１０）。なお、他の無線子機（無線子機４−１、４−３〜４−ｎ）が火災通知電文を受信したときも同様に動作する。
【００２９】
図８のステップＳ４−４で無線親機２から集中監視装置１に火災の感知元が通知された場合（図６のステップＳ５−１）、集中監視装置１は火災の感知元を表示する（ステップＳ６−１）。図９のステップ４−８で無線子機４−２〜４−ｎから火災感知器３−２〜３−ｎにブザー鳴動指示信号が出力された場合（図６のステップＳ５−２）、火災感知器３−２〜３−ｎは圧電ブザー１７−２〜１７−ｎを鳴動させる（ステップＳ６−２）。
【００３０】
図７は図５に示した異常感知システムにおいて、火災感知器３が火災を感知した場合の該火災感知システムの動作を示す図である。図７に示すように、まず、火災感知器３は、火災を感知すると（ステップＳ１１）、圧電ブザー１７を鳴動させる（ステップＳ１２）とともに無線親機２に感知信号を出力して火災発生を通知する（ステップＳ１３）。無線親機２は、火災通知電文を無線子機４−１〜４−ｎに対して、一斉に無線送信して火災発生を通知する（ステップＳ１４）。無線子機４−１〜４−ｎは、火災発生が通知されると、図９に示した動作と同様に動作して、火災感知器３−１〜３−ｎにブザー鳴動指示信号を出力する（ステップＳ１５）。火災感知器３−１〜３−ｎは圧電ブザー１７−１〜１７−ｎを鳴動させる（ステップＳ１６）。
【００３１】
このように、本発明の実施例１に係る異常感知システムでは、複数の火災感知器３−１〜３−ｎと１対１対応で接続された無線子機４−１〜４−ｎは、無線親機２の識別符号（共通識別符号）を記憶する。複数の火災感知器の内のいずれかが火災を感知したときに、該火災感知器に接続された無線子機は、相手局識別符号２４（無線親機２の識別符号）が付加された火災通知電文を無線送信し、他の無線子機は、相手局識別符号２４が付加された火災通知電文を受信したときに、該無線子機に接続された火災感知器にブザー鳴動指示信号を出力して警報を発生させる。
【００３２】
このため、火災感知器３−１〜３−ｎのいずれかが火災を感知した場合に、無線親機２の識別符号が記憶された無線子機すべてに一斉に火災の発生を通知でき、同一システム内のすべての異常感知器に短時間で異常通知を行うことができる。
【００３３】
また、無線子機４−１〜４−ｎには、自局の識別符号及び無線親機２の識別符号（共通識別符号）のみを記憶させておけば良く、従来の異常感知システムのように通信するすべての無線機器の識別符号を記憶させる必要がないため、設置時の設定に手間がかからない。
【００３４】
また、本実施例では、無線親機２及び集中監視装置１を備えているので、複数の火災感知器を集中監視でき、複数の火災感知器の内のいずれかが火災を感知したときに、感知元がどこであるかを集中監視装置に表示させることができる。
【００３５】
また、複数の火災感知器は、無線子機を介して無線接続されているため、工事性を向上できるとともに工事費を低減することができる。
【実施例２】
【００３６】
図１０は本発明の実施例２に係る異常感知システムの構成を示すブロック図である。図１０に示すように、実施例２の異常感知システムと実施例１の異常感知システムとは無線親機２ａの制御回路１０ａ及び無線子機４−１ａ〜４−ｎａの制御回路２０−１ａ〜２０−ｎａの機能が異なる。その他の構成は実施例１の異常感知システムの構成と同一であり、同一部分には同一符号を付し、その詳細は省略する。
【００３７】
無線子機４−１ａの制御回路２０−１ａは、他の無線子機４−２ａ〜４−ｎａから無線回路２１−１を介して火災通知電文を受信すると、該火災通知電文の相手局識別符号２４と相手局識別符号記憶回路２３−１に記憶されている相手局識別符号とを照合する。また、制御回路２０−１ａは、電文の相手局識別符号２４と相手局識別符号記憶回路２３−１に記憶されている相手局識別符号とが一致した場合、Ｉ／Ｆ回路１９−１を介して火災感知器３−１にブザー鳴動指示信号を出力するとともに無線親機２ａに対して応答電文を無線送信する。応答電文は、図１１に示すように、応答電文である旨を示す応答データ２６ａに、相手局識別符号記憶回路２３−１に記憶されている相手局識別符号２４及び自局識別符号記憶回路２２−１に記憶されている自局識別符号２５が付加された電文である。制御回路２０−１ａの火災通知電文を無線送信する動作は、実施例１の制御回路２０−１の動作と同様であるため、重複する説明は省略する。なお、無線子機４−２ａ〜４−ｎａの制御回路２０−２ａ〜２０−ｎａの機能は制御回路２０−１ａの機能と同様である。
【００３８】
無線親機２ａの制御回路１０ａは、無線子機４−１ａ〜４−ｎａから無線回路１１を介して火災通知電文を受信すると、該火災通知電文の相手局識別符号２４と自局識別符号記憶回路１２に記憶されている自局識別符号とを照合する。電文の相手局識別符号２４と自局識別符号記憶回路１２に記憶されている自局識別符号とが一致した場合は、電文の自局識別符号２５と相手局識別符号記憶回路１３−１〜１３−ｎに記憶されている相手局識別符号とを照合する。電文の自局識別符号２５と相手局識別符号記憶回路１３−１〜１３−ｎのいずれかに記憶されている相手局識別符号とが一致した場合は、電文の自局識別符号２５から火災を感知した火災感知器（感知元）を特定して、火災感知データ２６及び感知元を示す情報を、Ｉ／Ｆ回路９を介して集中監視装置１に出力する。
【００３９】
また、制御回路１０ａは、火災感知元以外の無線子機から無線送信された応答電文を受信し、応答電文の相手局識別符号２４と自局識別符号記憶回路１２に記憶されている自局識別符号とが一致し且つ応答電文の自局識別符号２５と相手局識別符号記憶回路１３−１〜１３−ｎのいずれかに記憶されている相手局識別符号とが一致した場合は、応答電文の自局識別符号２５から該応答電文を送信した無線子機を特定する。応答電文を送信した無線子機は、火災通知電文を正常に受信したものと判定される。制御回路１０ａは、無線子機４−１ａ〜４−ｎａの内で、火災通知電文を無線送信した無線子機以外で且つ応答電文を無線送信しない無線子機に対して、制御回路１０ａが受信した火災通知電文を無線送信して火災発生を再通知する。
【００４０】
次に、本発明の実施例２に係る異常感知システムの動作を図１２を用いて詳細に説明する。ここでは、図１０に示した異常感知システムにおいて、火災感知器３−１が火災を感知した場合を例に説明する。まず、火災感知器３−１は、火災を感知すると（ステップＳ２１）、圧電ブザー１７−１を鳴動させる（ステップＳ２２）とともに無線子機４−１ａに感知信号を出力して火災発生を通知する（ステップＳ２３）。無線子機４−１ａは、火災通知電文を無線親機２ａ及び無線子機４−２ａ〜４−ｎａに対して、一斉に無線送信して火災発生を通知する（ステップＳ２４）。火災通知電文を正常に受信した無線子機４−２ａは火災感知器３−２にブザー鳴動指示信号を出力して（ステップＳ２５）、圧電ブザー１７−２を鳴動させる（ステップＳ２６）とともに無線親機２ａに対して応答電文を無線送信する（ステップＳ２７）。ステップＳ２４で火災通知電文を正常に受信することができなかった無線子機４−ｎａは応答電文を送信しない。無線親機２ａは応答電文を送信しない無線子機４−ｎａに対して火災通知電文を無線送信する（ステップＳ２８）。無線子機４−ｎａはステップＳ２８で火災通知電文を正常に受信すると、火災感知器３−ｎにブザー鳴動指示信号を出力して（ステップＳ２９）、圧電ブザー１７−ｎを鳴動させる（ステップＳ３０）とともに無線親機２ａに対して応答電文を無線送信する（ステップＳ３１）。
【００４１】
このように、本発明の実施例２に係る異常感知システムでは、無線子機は、相手局識別符号２４が付加された火災通知電文を受信したときに、該無線子機に接続された火災感知器にブザー鳴動指示信号を出力して警報を発生させるとともに無線親機２ａに対して応答信号を無線送信し、無線親機２ａは、無線子機４−１ａ〜４−ｎａの内で、火災通知電文を無線送信した無線子機以外で且つ応答信号を無線送信しない無線子機に対して、受信した火災通知電文を無線送信する。即ち、無線親機２ａは、無線子機４−１ａ〜４−ｎａが火災通知電文の受信を失敗した場合、受信を失敗した無線子機に対して火災通知電文を再送信する。このため、同一システム内のすべての異常感知器に短時間で且つ確実に異常通知を行うことができる。
【産業上の利用可能性】
【００４２】
本発明は、火災感知器、人感センサ、ガス漏れセンサ、漏電センサ等の異常感知器が複数台設けられて構成される異常感知システムとして利用可能である。
【図面の簡単な説明】
【００４３】
【図１】本発明の実施例１に係る異常感知システムの構成を示すブロック図である。
【図２】本発明の実施例１に係る異常感知システムの集中監視装置、無線親機、無線子機及び火災感知器の構成を示すブロック図である。
【図３】火災通知電文の電文構成例を示す図である。
【図４】本発明の実施例１に係る異常感知システムの変形例を示すブロック図である。
【図５】本発明の実施例１に係る異常感知システムの変形例の無線親機、無線子機及び火災感知器の構成を示すブロック図である。
【図６】本発明の実施例１に係る異常感知システムの通信手順を示す図である。
【図７】本発明の実施例１に係る異常感知システムの変形例の通信手順を示す図である。
【図８】無線親機が火災通知電文を受信したときの動作を示すフローチャートである。
【図９】無線子機が火災通知電文を受信したときの動作を示すフローチャートである。
【図１０】本発明の実施例２に係る異常感知システムの集中監視装置、無線親機、無線子機及び火災感知器の構成を示すブロック図である。
【図１１】応答電文の電文構成例を示す図である。
【図１２】本発明の実施例２に係る異常感知システムの通信手順を示す図である。
【符号の説明】
【００４４】
１  集中監視装置
２  無線親機
３、３−１〜３−ｎ  火災感知器
４−１〜４−ｎ、４−１ａ〜４−ｎａ  電流検出部
５、１０、１０ａ、１５−１〜１５−ｎ、２０−１〜２０−ｎ、２０−１ａ〜２０−ｎａ  制御回路
７  ＬＥＤ回路
８、９、１８−１〜１８−ｎ、１９−１〜１９−ｎ  Ｉ／Ｆ回路
１１、２１−１〜２１−ｎ  無線回路
１２、２２−１〜２２−ｎ  自局識別符号記憶回路
１３−１〜１３−ｎ、２３−１〜２３−ｎ  相手局識別符号記憶回路
１６、１６−１〜１６−ｎ  火災感知回路
１７、１７−１〜１７−ｎ  圧電ブザー
２４  相手局識別符号
２５  自局識別符号
２６  火災感知データ
２６ａ  応答データ
【図１】
2006331096.tif 000003
【図２】
2006331096.tif 000004
【図３】
2006331096.tif 000005
【図４】
2006331096.tif 000006
【図５】
2006331096.tif 000007
【図６】
2006331096.tif 000008
【図７】
2006331096.tif 000009
【図８】
2006331096.tif 000010
【図９】
2006331096.tif 000011
【図１０】
2006331096.tif 000012
【図１１】
2006331096.tif 000013
【図１２】
2006331096.tif 000014